(57)【要約】【課題】  裸床（３）の上への二重床（１０）の据付けのために役立つ方法および装置（９）。【解決手段】  二重床（１０）は、好ましくはその上に床板（１）がお互いの横に行で配置される、裸床（３）上に規則的な格子パターンで配置される二重床支持具（２）を備える。本発明に従って、取付位置（３０Ａ；３０Ｂ；．．．）が二重床支持具（２）に対して決定され、据え付けられるべき二重床支持具（２）が対応して配置される。さらに、取付高さ（ｈＭ）に位置する取付面（ＥＭ）が好ましくは、レーザ装置（９１）を用いて少なくとも部分的に決定される。据え付けられるべき二重床支持具（２）が次いで、取付面（ＥＭ）に対して配置される。裸床（３）に固まる凝固台座材料（２３００）から作成され、取付面（ＥＭ）を越えて突き出る台座（２３）が、二重床支持具（２）の配置の前、間または後に、取付位置（３０Ａ；３０Ｂ；．．．）に設けられる。二重床支持具（２Ａ；２Ｂ；…）は次いで、それぞれの台座（２３）内に後者（台座）が凝固されるまで各々保持される。【選択図】  図２
2014519566.tif 000002
【特許請求の範囲】
【請求項１】
その上で床板（１）が行でお互いの横に配置される、裸床（３）上に好ましくは規則的な格子パターンで配置される二重床支持具（２）による前記裸床（３）より上の二重床（１０）の据付けのための方法であって、
ａ）取付位置（３０Ａ；３０Ｂ；…）が、前記二重床支持具（２）に対して決定され、据え付けられるべき前記二重床支持具（２）がそれに応じて配置され；
ｂ）取付け高さ（ｈＭ）に位置する取付け面（ＥＭ）が、好ましくはレーザ装置（９１）を用いて少なくとも部分的に決定され；
ｃ）前記二重床支持具（２）、例えばそれらの下端または前記二重床支持具（２）上に取り付けられる少なくとも１枚の床板（１）が少なくともおよそ前記取付け高さ（ｈＭ）に配置されるまで、据え付けられるべき前記二重床支持具（２）が、前記取付け面（ＥＭ）の方へ案内され；
ｄ）前記裸床（３）に固まる凝固台座材料（２３００）から作成され、かつ前記取付け面（ＥＭ）を越えて突き出る台座（２３）が、前記二重床支持具（２）の配置の前、間または後に、前記取付位置（３０Ａ；３０Ｂ；．．．）に設けられ；および、
ｅ）前記二重床支持具（２Ａ；２Ｂ；）が次いでそれぞれの前記台座（２３）内に、後者（台座）が凝固されるまで各々保持され、すでに存在してない場合、床板（１）が取り付けられることができることを特徴とする方法。
【請求項２】
請求項１に記載の方法であって、前記台座（２３）を作り出すために用いられる前記台座材料（２３００）が、好ましくはプラスチックから、または、好ましくは各二重床支持具（２Ａ；２Ｂ；…）対して設けられるバッグまたはベローのような、柔軟な容器（３０００）内に作られる構造部材（３００）内に充填され、
ａ）前記構造部材（３００）が前記取付位置（３０Ａ；３０Ｂ；…）に配置されてかつ台座材料（２３００）によって充填され、その後に、前記二重床支持具（２）が配置される；または
ｂ）前記構造部材（３００）が、好ましくは着脱自在に前記二重床支持具（２）に接続されてかつ前記二重床支持具と共に降ろされ、その後、前記二重床支持具（２）の前記足部材を取り囲む前記台座材料（２３００）によって、前記裸床（３）上に配置される前記構造部材（３００）が充填される；または
ｃ）各々容器（３０００）を備えかつ好ましくは床板（１）を備える前記二重床支持具（２Ａ；２Ｂ；…）が、前記容器（３０００）内に提供されかつ前記容器（３０００）から解放される前記台座材料（２３００）が前記裸床（３）上で凝固することができるような方法で配置され、
前記台座（２３）または前記台座材料（２３００）が、最低の取付位置（３０）に配置される前記二重床支持具（２）がまた前記関連する台座（２３）によって前記裸床（３）上に支えられるような方法で提供されることを特徴とする方法。
【請求項３】
前記取付位置（３０Ａ；３０Ｂ；…）が、順にまたは群で決定されること、および前記台座（２３）が、順にまたは群で配置されること、および適切な場合、前記台座（２３）内に順にまたは群で前記構造部材（３００）と共に、１個以上の部品から成る前記二重床支持具（２）が挿入されることを特徴とする請求項１または２に記載の方法。
【請求項４】
前記台座（２３）を作り出すために用いられる前記台座材料（２３００）が、コンクリートの混合物、床用のコンクリート、セメント混合物または石膏であり、前記二重床支持具（２）が取り付けられるタイムスパン内に前記台座材料（２３００）が凝固されるか、または、凝固プロセスが、材料またはエネルギを加えることによって制御されるような方法でそれが作成されてかつ加えられることを特徴とする請求項１、２または３に記載の方法。
【請求項５】
前記基準面（ＥＲ）と平行して距離（ｄ）をおいて取付け高さ（ｈＭ）に位置する取付け面（ＥＭ）が少なくとも部分的に規定されるように、水平基準面（ＥＲ）内に位置する基準格子（ＲＲ）の少なくとも一部が好ましくはレーザ装置（９１）を用いて決定されることを特徴とする請求項１〜４のうちいずれか一項に記載の方法。
【請求項６】
請求項１〜５のうちいずれか一項に記載の方法であって、把持具（９９）を備えた据付け装置（９）が設けられ、それが少なくとも２つ以上の装置位置（ＰＶ）で装置格子（ＲＶ）を形成し、前記装置格子（ＲＶ）が、取付け格子（ＲＭ）に対応してかつ装置面（ＥＶ）内に配置され、そして、適切な場合前記構造部材（３００）と共に、前記二重床支持具（２）が前記装置位置（ＰＶ）に取り付けられ、および
ａ）前記把持具（９９）の前記装置面（ＥＶ）が、前記基準面（ＥＲ）に平行にまたは適合して位置合わせされ、そして次に、距離ｄＭが横断されたあと、前記二重床支持具（２）の下端が前記取付け面（ＥＭ）に達するような方法で規定される前記取付け面（ＥＭ）の方へ平行に前記距離ｄＭに沿って駆動される；または
ｂ）前記把持具（９９）の前記装置面（ＥＶ）が、前記基準面（ＥＲ）に平行にまたは適合して位置合わせされ、そして次に、１台以上のセンサ（９２；９２Ａ、…）が活性化される時、前記二重床支持具（２）の下端が前記取付け面（ＥＭ）に達するような方法で選択される、取付けおよび基準面（ＥＭＲ）に到達したという信号を前記センサ（９２；９２Ａ、…）が送るまで前記取付け面（ＥＭ）の方へ平行に前記距離ｄＭに沿って駆動されることを特徴とする方法。
【請求項７】
お互いに着脱自在に接続され、かつ前記装置面（ＥＶ）内に位置合わせされるかまたは位置合わせされることができる少なくとも１本のもしくは複数本のチューブまたはビーム（９９１）から好ましくは組立てられることができ、かつ、それから成る前記把持具（９９）が、２台以上の持ち上げ装置（９５Ａ、９５Ｂ、…；９６Ａ、９６Ｂ、…）によって支えられてかつ垂直に移動されることを特徴とする請求項６に記載の方法。
【請求項８】
前記据付け装置（９０）が、前記取付け面（ＥＭ）に対する前記装置面（ＥＶ）の傾きの補正信号を、前記少なくとも１つの持ち上げ装置（９５Ａ、９５Ｂ、…；９６Ａ、９６Ｂ、…）を制御することによって前記傾きを補正する、制御ユニット（９０）に供給する測定器（９７）を備えること、または、各持ち上げ装置（９５Ａ、９５Ｂ、…；９６Ａ、９６Ｂ、…）が関連するセンサ（９２Ａ；９２Ｂ、…）によって供給される前記信号に従い制御されることを特徴とする請求項７に記載の方法。
【請求項９】
前記取付位置への前記二重床支持具（２）の移動の後、前記把持具（９９）が補助支持具（９６０）によって固定され、および、それらが更なる把持具（９９）と共に用いられることができるように、前記持ち上げ装置（９５Ａ、９５Ｂ、…；９６Ａ、９６Ｂ、…）または前記持ち上げ装置（９５Ａ、９５Ｂ、…；９６Ａ、９６Ｂ、…）内に設けられる駆動装置（９５Ａ、９５Ｂ、…）が除去されることを特徴とする請求項７または８に記載の方法。
【請求項１０】
請求項１〜９のうちいずれか一項に記載の方法の実行のための据付け装置（９）であって、１個以上の部品から成る把持具（９９）が設けられ、かつ
ａ）それが、二重床支持具（２）を着脱自在に保持するのに役に立つ連結装置（９８）を備える２つ以上の装置位置（ＰＶ）を備える装置面（ＥＶ）内に配置される一次元または二次元装置格子（ＲＶ）を備え、かつ
ｂ）それが、手動でまたは自動的に作動可能な持ち上げ装置（９５Ａ、９５Ｂ、…；９６Ａ、９６Ｂ、…）に接続され、それによって、前記把持具（９９）が、前記装置面（ＥＶ）に垂直に移動されることができることを特徴とする据付け装置（９）。
【請求項１１】
前記持ち上げ装置（９５Ａ、９５Ｂ、…；９６Ａ、９６Ｂ、…）の各々が、前記把持具（９９）から前記全部の持ち上げ装置（９５Ａ、９５Ｂ、…；９６Ａ、９６Ｂ、…）と好ましくは切り離されることができるスピンドル駆動装置として好ましくは設計される駆動装置（９５Ａ、９５Ｂ、…）を備えることを特徴とする請求項１０に記載の据付け装置（９）。
【請求項１２】
センサ（９２、９７）に接続されかつ、所定の距離（ｄＭ）が横断されるまで、基準面（ＥＲ）内に前記把持具（９９）を水平にするおよび／または位置合わせするためにかつ前記基準面（ＥＲ）に平行に前記把持具（９９）を駆動するために前記持ち上げ装置（９５Ａ、９５Ｂ、…；９６Ａ、９６Ｂ、…）を駆動することを可能にするおよび／または、制御ユニット（９０）が、前記駆動装置（９５Ａ、９５Ｂ、…）の活動を観測するためにおよび／または、前記距離（ｄＭ）の横断を検出するために、光センサ（９１＊）を観測するために役立つ、前記持ち上げ装置（９５Ａ、９５Ｂ、…；９６Ａ、９６Ｂ、…）を制御するのに役に立つ前記制御ユニット（９０）が設けられることを特徴とする請求項１０に記載の据付け装置（９）。
【請求項１３】
請求項１〜９のうちいずれか一項において定義した方法に従って、裸床（３）上に規則的な格子パターンで好ましくは配置され、かつその上に床板（１）が、行でお互いの横に配置される、二重床支持具（２）によって前記裸床（３）より上に据え付けられる二重床であって、台座（２３Ａ、２３Ｂ、…）が、前記裸床（３）上に配置されるかまたは前記裸床（３）に接続され、その台座（２３Ａ、２３Ｂ、…）内に前記据え付けられた床板（１）と平行に位置合わせされる少なくともおよそ取付け面（ＥＭ）の高さ（ｈＭ）に、１部品または複数部品二重床支持具（２Ａ；２Ｂ；…）がそれらの下端（３５）で挿入されることを特徴とする二重床。
【請求項１４】
請求項１３に記載の二重床であって、
ａ）前記二重床支持具（２）が、丸いまたは多角形のチューブおよび好ましくは前記台座（２３）内に保持される前記支持具部品内に設けられるヘッドプレートおよび／またはアンカー要素（２１）を備えること；および／または
ｂ）複数、好ましくは４個の二重床支持具（２Ａ、２Ｂ、２Ｃ、２Ｄ）が設けられ、それが、単一床板（１）に接続され、かつ、前記裸床（３）に適応され、かつ容器（３０００）内に取り囲まれるかまたは容器（３０００）から解放された前記足部材に凝固された台座材料（２３００）を備えることを特徴とする二重床。
【請求項１５】
前記台座（２３）が、コンクリート、床用のコンクリート、セメントまたは石膏から作られ、かつ、適切な場合構造用部材（３００）内に保持されることを特徴とする請求項１３または１４に記載の二重床。
【発明の詳細な説明】
【技術分野】
【０００１】
本発明は、二重床に、同じくこの二重床の据付けのための方法および装置に関する。
【０００２】
二重床は、大きな現代の建物内にしばしば据え付けられる。（特許文献１）に記載されるように、二重床は、高さが調整可能であり、かつ建物床上に、すなわち建物の裸床上に配置される二重床支持具上に取り付けられる床板から成る。このため、小さな空間が裸床と二重床との間に生じ、そこに、送水管、ガス管および電気ケーブルのような、全ての種類の媒体線が最短距離で据え付けられることができ、それゆえに、据付けの詳細な計画が、必要とされない。
【０００３】
（特許文献１）はさらに、足部材およびベースプレートを備えた二重床支持具を開示し、ベースプレートの上に支持管が垂直に立ち、かつ保持コーンを備えた頭部部材によって、頭部部材の上に二重床板の角が配置される。足部材および頭部部材はスクリュー要素によって二重床支持具の所望の高さが調節されることができるような方法で接続される。
【０００４】
裸床が平坦でない場合には、これらの二重床支持具は欠点を呈する。その時、二重床支持具の望ましくない傾きが生じる。保持コーンの傾きに起因して、床板の被支持角が異なる高さａを呈し、それゆえに、高さの不規則な変化が二重床の表面に生じる。
【０００５】
裸床の面倒な起伏は、足部材の支持具の領域を流れ出させることによってまたは足部材より下にくさびを加えることによって初めに補正された。しかしながらこの方策では、二重床支持具の十分に正確な位置合わせは、少なからぬ労力によってだけ到達されることができる。
【０００６】
この問題を解決するために、（特許文献１）は、傾きが調節された後で半球形のリングディッシュと半球形の圧力板との間に締着されることができる、密封された半球形の内側部材を備える、調整可能な傾きを備えた支持ディッシュを備える二重床支持具を提唱する。
【０００７】
（特許文献２）が、図１内に以下で示される二重床支持具を開示する。この二重床支持具は、ベースプレート２２１を備えた足部材２２０を備え、それが接続装置２２３経由で、ベースプレート２２１に垂直に位置合わせされることができる足チューブ２２２に弾性的に接続される。床の起伏を補正するために、足チューブ２２２はしたがって、ベースプレート２２１に対して特定の角度で傾けられることができる。より大きな起伏が接続装置２２３を用いて補正されることができない場合には、台座３１０がベースプレート２２１の下に設けられる。ヘッドプレート２１１を備えた頭部部材２１０を備えるヘッドパイプ２１２が、足チューブ２２２内に伸縮自在に入れられる。ヘッドパイプ２１２に接続されるねじ止め具２４０が足チューブ２２２と接触するまで、ばね２３０で支えられる頭部部材２１０が足部材２２０の方へ移動可能である。ねじ止め具２４０は、ねじ山によって保持されて所望の高さに設定されることができる。
【０００８】
二重床の既知の据付けは、段階的に床板ごとに実行される。すなわち、二重床を据え付ける時、二重床支持具が順に取り付けられて調節される。その後、床板が取り付けられる。各床板を取り付けた後に、位置合わせが水位によって測定され、二重床支持具が調節される。このように、二重床は段階的に拡張され、それによって、床板を取り付けて二重床支持具を調節する個々のステップが交互に繰り返される。全体で、少なからぬ据付け労力が生じる。さらに注意されなければならないことは、二重床が据え付けられた後で、床板が一般的に再び除去され、それで、関係する人員が裸床上に媒体線、例えば電気ケーブルを据え付けることができることである。媒体線を据え付けた後に、床板が再び二重床支持具上に取り付けられ、その後、追加的な調節がしばしば必要とされる。
【０００９】
（特許文献２）がさらに行でお互いの横に配置され、裸床上の規則的な格子パターンで配置される調整可能な二重床支持具で支えられる床板によって二重床を据え付けるための方法を開示する。この方法によって、補助面がいくつかの格子交点を備える裸床のセクションより上の所望の距離にまたは所定の高さに平らにされる。その後、二重床支持具が補助面と裸床との間の格子交点上に配置され、所定の高さの上へ設定されて固定される。次に、床板が固定された二重床支持具上に取り付けられる。
【００１０】
それに対して対照的に、（特許文献３）では、二重床支持具を用いて２本のレール要素からなるビームを取り付けることが提唱される。二重床支持具は各々大きい頭部部材を備え、それがねじナットを用いて足部材のネジ付きシャフトに沿って垂直に移動可能で、両方の側面上に取り付けられるレール要素を備えたねじを用いて接続可能である。
【００１１】
前記文献から、既知の二重床支持具が高さおよび傾きからみて裸床の起伏を補正するために必要とされる複雑な設計を有することが導き出されることができる。しかしながら、設置場所における裸床の起伏、高さの面倒な差異および傾きを補正するために、二重床支持具の構成は労力だけでなくしかしまた、調節も必要とする。二重床支持具が横方向にシフトされる場合には、その時、再調整が必要とされる。地震が生じる場合には、おそらく二重床支持具が震動および動揺に起因する部屋据付けの負荷の下でシフトする。その後、床板の高さの差異が、有意な労力で補正される必要がある。
【先行技術文献】
【特許文献】
【００１２】
【特許文献１】欧州特許第０３０９３９９Ａ１号明細書
【特許文献２】欧州特許第０４７９７２０Ａ１号明細書
【特許文献３】特開２００２−０８９０２２号公報
【発明の概要】
【発明が解決しようとする課題】
【００１３】
本発明は、したがって、改良された二重床、同じく二重床の据付けのための方法および装置を提供する目的に基づき、それによって、上記した欠陥が回避される。
【００１４】
とりわけ、最小労力ですばやく正確にかつ裸床の起伏から独立に二重床をすえ付けることを可能にする方法が、提供される。
【００１５】
本発明の二重床に対して、単純な設計による二重床支持具が使用可能である。二重床支持具の調節は、必要でない。
【００１６】
高精度で低コストの二重床を作り出すことが可能である。さらに、据付けの後の調節も必要とされないように、二重床は機械衝撃および震動の影響を受けない。
【００１７】
二重床を迅速に据付けて取り外すことが、可能である。特に、二重床の交換は、例えば必要であれば高さの変化とともに、最小時間および労力で可能である。
【課題を解決するための手段】
【００１８】
この目的は、それぞれ、請求項の特徴が１、１０および１３であることを含む方法、据付け装置および二重床によって達される。本発明の好ましい実施態様が、更なる請求項内に規定される。
【００１９】
この方法および装置は、裸床の上の二重床の据付けのために役立つ。二重床は、二重床支持具を備え、それが好ましくは裸床上に規則的な格子パターンで配置され、および、その上に床板が行でお互いの横に配置される。
【００２０】
本発明に従って、取付位置が二重床支持具に対して決定され、据え付けられるべき二重床支持具が対応して配置される。さらに、取付高さに位置する取付面が、好ましくはレーザ装置を用いて少なくとも部分的に決定される。据え付けられるべき二重床支持具が次いで、取付面に対して配置される。裸床に固まり、かつ取付面を越えて突き出る凝固台座材料から成る台座が、二重床支持具の配置の前、間または後に、取付位置に設けられる。二重床支持具は次いで、後者（台座材料）が凝固されるまで、それぞれの台座内に各々保持される。
【００２１】
床板がすでに二重床支持具に接続されてない場合には、それから、床板が台座の凝固の後で二重床支持具に取り付けられる。
【００２２】
二重床支持具が全て水平取付面内の同じ高さの上にあるので、調節は必要とされない。従って、単純に設計された二重床支持具が用いられることができ、最も単純な実施態様ではそれが中空円筒形のまたは長方形のチューブから成る。チューブの一端が二重床支持具の足部材を形成し、他端が頭部部材を形成する。チューブの直径が十分に大きく、二重床支持具が正確に配置される場合、４枚の床板の角がチューブ上に設置されることができる。二重床支持具は、また、この種のチューブを備えた足部材および頭部部材、例えば丸いまたは方形プレートを備えることができる。好ましくは、金属またはプラスチックから作られた同一の二重床支持具が、用いられる。
【００２３】
二重床支持具は、１個の部品または複数個の部品から成ることができる。台座に挿入される足部材を備えた、二重床支持具を用いることは特定の利点であり、その後、例えば二重床の高さを調節するために、適切な頭部部材が取り付けられる。さらに、二重床は非常に短い時間内に完全に取り外されて再び再据え付けされることができる。部屋の改造のために、二重床は残りの足部材を除いては除去されることができる。その後、改造のために必要とされる機器が、部屋内に持ち込まれることができる。
【００２４】
例えば、二重床支持具は丸いまたは多角形の断面を備えた鉄のシートから作られる。例えば、鉄のシートの一部が切り離されて４つのセクションに分割され、それが次いでお互いに対して９０°で段階的に曲げられる。台座に二重床支持具をしっかりとつなぎ留めるために、足部材は好ましくは、鉄のシートから切り離されて外側に曲げられるアンカー要素を備える。
【００２５】
本発明の方法は、ユーザによって個々に求められるいくつかの変形で実行されることができ、そこにおいて特定の方法ステップが置き換えられることができる。
【００２６】
二重床支持具に対する取付位置は、順にまたは群で決定されることができる。台座もまた、順にまたは群で作り出されることができる。１個以上の部品から成る二重床支持具が、また、順にまたは群で台座内に挿入されることができる。二重床支持具が床板と共に配置されることができるように、複数の二重床支持具、好ましくは４個がすでに床板に接続されていることができる。取付面はまた、据え付けられた床板がそこに配置される面の高さに取付面が位置するような方法で選択されることができる。このように、床板は取付面でそれらの上縁部と位置合わせされることができる。
【００２７】
台座を作り出すために用いられる台座材料は好ましくは、台座の最終の形状を決定し、かつ、二重床支持具が挿入される時、台座材料が、位置がずれることを防ぐ、構造部材内に充填される。構造部材、例えば円錐形に形状化された薄壁のチューブ状部材が、好ましくはプラスチックまたは鉄のシートから作られる。円錐形の形状はそれらがさらに用いられることができるように、構造部材のステープリングおよび台座の凝固の後の除去を可能にする。さらに、金属またはプラスチックから作られる強化材要素が、供給されることができる。
【００２８】
代わりとして、台座を作り出すために用いられる台座材料が、各二重床支持具の足部材に個々に取り付けられ、好ましくは柔軟であるバッグまたはベローのような容器内に充填されることができる。例えば、容器は、台座材料が容器内に二重床支持具を通して充填されることができるような方法で、足部材に隣接する。台座材料の充填は、活性剤を加えずに、台座材料が２、３分以内に硬化することができるように、二重床支持具または床板を取り付ける直前に実行されることができる。代わりとして例えば、台座材料が容器内により早く充填される場合、活性剤が加えられることができる。代わりとして、例えば台座を空気または熱にさらすことによって、台座材料の硬化が容器の除去の後で実行されることもまた、可能である。
【００２９】
台座を作り出すために用いられる台座材料は例えばコンクリートの混合物、床用のコンクリート、セメント混合物または石膏であり、それは二重床支持具が挿入されたタイムスパンの後でだけ凝固するような方法で作成されて加えられる。凝固を加速するために、手段またはエネルギを加える、例えば、台座を加熱することがさらに可能である。前記材料は、それらが裸床にすばやく固められる利点を呈する。しかしながら、本発明の方法はさらに、台座が凝固されるまで、群で二重床支持具を配置して二重床支持具を保持することを可能にする。
【００３０】
本発明によって台座の寸法は好ましくは、最も低い取付位置の二重床支持具さえ台座内に必要な侵入深さで挿入されることができるような方法で、均一に作り出される。裸床が実質的に平坦な場合、より小さな台座が設けられることができ、それが平坦な高さで二重床支持具の堅固な保持を可能にする。裸床を調べるかまたは測定することによって、材料の使用が最適化されることができる。
【００３１】
二重床支持具の据付けに対して、発明の据付け装置が有利には用いられることができる。据付け装置は取付格子に対応し、かつ連結装置が取り付けられる２つ以上の装置位置を呈する装置面内に配置される装置格子を備えた把持具を備え、それが二重床支持具を保持するのに役に立つ。
【００３２】
把持具上に二重床支持具を固定した後に、把持具が基準面に平行にまたは適合してその装置面と位置合わせされ、かつ二重床支持具の下端が取付面に達するまで、取付面の方へ降ろされる。
【００３３】
それによって、二重床支持具を配置する前にまたは二重床支持具を配置した後に凝固されない台座材料で、台座が準備される。二重床支持具の配置の後で台座を準備することは、とりわけ有利である。それによって、台座が事前に準備される裸床上の取付位置を決定する要求が、回避される。取付位置は、例えば６０ｃｍの格子距離を備えた格子パターンで二重床支持具の位置合わせによって決定される。好ましくは二重床支持具を垂直に降ろした後に、台座の位置が決定される。次に、二重床支持具の位置に各々構造部材を設けることによって、単純な方法で台座が構築されることができる。二重床支持具および構造部材が二重床支持具の配置の後で裸床の方へ共に降ろされることができるように、二重床支持具に構造部材を連結することによって、このタスクはとりわけ単純に実行されることができる。このように、構造部材およびそれゆえに台座が、追加的な労力なしで常に正しい位置にある。二重床支持具に対する構造部材の着脱可能な接続または連結は少なくとも１個のクランプ要素を用いて好ましくは実行され、それは二重床支持具もしくは構造部材上に追加で挿入されるか、または形成される。好ましくは、構造部材およびこの少なくとも１個のクランプ要素、同じく二重床支持具が、鉄シートから好ましくは形成される。
【００３４】
二重床支持具を取付位置にシフトすることは、２つの異なる選択肢で実行されることができる。第１の選択肢では、把持具は算出された距離に沿ってシフトされる。把持具が各々同一の駆動装置、例えばスピンドル駆動装置を備える複数の支持具によって保持される場合、把持具が所望の距離に沿って基準面との平行な位置合わせで常にシフトされるように、同じ方法で各駆動装置を作動させることで十分である。
【００３５】
代わりとして、取付または基準面がより低いレベルに達されるまで、把持具が好ましくは基準面と平行にシフトされる。例えば、把持具は、基準面および／または取付面内にあるレーザシステムの光を捕捉する光センサを備える。これらのセンサの信号は、制御システムが基準面および／または取付面にまたはそれに対して平行に特定の距離で把持具を調節することを可能にする。
【００３６】
把持具は、少なくとも３台の、好ましくは４台の持ち上げ装置で支持されてかつこれらの持ち上げ装置とともに垂直に移動可能である。例えば把持具は、スピンドルを駆動する駆動装置、例えば電動機を備える支持具によって保持される。スピンドルは、把持具に接続され、かつスピンドルが旋回される時、把持具と共に上方へまたは下方へ垂直にシフトされるベアリングブロックに係合される。この種のスピンドル駆動装置は、例えばｍａｘｏｎ社で入手可能である（ｍａｘｏｎｍｏｔｏｒ．ｃｏｍを参照）。その他の好ましくは制御可能な持ち上げ装置、油圧および空気式持ち上げ装置が用いられることができ、それが把持具の垂直移動を可能にする。
【００３７】
据付けの後、持ち上げ装置および／または駆動装置が好ましくは把持具から解放されてかつ別の把持具に用いられ、それで、これらの装置は倍数で存在する必要はない。
【図面の簡単な説明】
【００３８】
以下に、本発明が図面を参照して記述される。
【００３９】
【図１】上に記述された二重床１００を示し、それが床板１を支持する調整可能な二重床支持具２００を備える；
【図１ａ】４枚の床板１の角を支持する図１の二重床支持具２００を示す；
【図２】台座２３内に据え付けられる発明の二重床支持具２、同じく単純な発明の据付け装置９とともに、発明の二重床１０の一部を概略例証で示す；
【図３】台座２３の作成、同じく図２の据付け装置９の動作を示す；
【図４】二重床支持具２が前もって作られた台座２３内に正確に持ち上げ装置９５、９６を用いて群で挿入されることができる発明の据付け装置９を示す；
【図５】台座２３への挿入および補助支持具９６０による持ち上げ装置９５、９６の交換の後の図４の二重床支持具２を示す；
【図６】凝固された台座２３内にしっかりと据え付けられる図５の二重床支持具２を示し、二重床支持具２の上に、二重床１０を作り出すために床板１が取り付けられた；
【図７】２個の部品から成り、かつ共通台座２３０内に挿入される二重床支持具２を備えた、二重床１０を示す；
【図７ａ】お互いに移動可能である２本のチューブを備えた２部品二重床支持具２を示す；
【図７ｂ】頭部部材２１および長方形のパイプから前もって作られた足部材２２を備える単一部品二重床支持具２を示す；
【図７ｃ】台座２３内に挿入された単純なチューブの形の、二重床支持具２を示す；
【図８ａ】二重床支持具２が手で動きを固定されることができる連結装置９８を備えた、長方形のパイプでできている把持具９９の一部を示す；
【図８ｂ】手動でまたは駆動装置９５で動作されることができる持ち上げ装置９６によって、二重床支持具２を固定した後の図８ａの把持具９９の一部を示す；
【図９ａ】１６個の二重床支持具を取り付けた後の図８ａの把持具９９を示す；
【図９ｂ】裸床３および４台の象徴的に示された駆動装置９５Ａ、…、９５Ｄに向けて下方へ向けられる二重床支持具２を備えた、図９ａの把持具９９を示す；
【図１０】把持具９９のビーム状の要素９９１上の構造部材３００と共に二重床支持具２Ａ、２Ｂ、２Ｃの取付けを示す；
【図１１ａ】二重床支持具２Ａが把持具９９のビーム状の要素９９１によって保持される間、構造部材３００Ａ内への台座材料２３００の充填を示す；
【図１１ｂ】アンカー要素２９を備えた二重床支持具２を示す；
【図１１ｃ】ビーム状の要素９９１の除去の後、凝固された台座２３Ｂ内に保持される二重床支持具２Ｂを示す；および、
【図１２】好ましくはしっかりと床板１に接続され、かつ、台座材料２３００によって充填される容器３０００に接続される足部材を備える４個の二重床支持具２Ａ、２Ｂ、２Ｃおよび２Ｄを示す。
【発明を実施するための形態】
【００４０】
図１は、上記した、床板１を支持する調整可能な二重床支持具２００を備える二重床１００を示す。図１ａは、二重床１００の４枚の床板１の角を支持する図１の二重床支持具２００を示す。
【００４１】
図２は、図１ａ内に示される方法で４枚の床板１を支持する、本発明に従って据え付けられる二重床支持具２Ａを備えた発明の二重床１０の一部を示す。
【００４２】
以下に記載する本発明の方法の使用が、裸床３より上の取付け面ＥＭ内に同じ高さｈＭでほとんど労力なしで全ての二重床支持具２Ａ、２Ｂの取付けを可能にする。
【００４３】
このために、二重床支持具２に対する取付位置３０Ａ；３０Ｂ；…が、裸床３上で決定される。これはレーザシステムによって正確に実行されることができ、その交差ポイントＰＲが取付位置３０Ａ；３０Ｂ；…を示す格子パターンを形成する。
【００４４】
取付位置３０Ａ；３０Ｂ；…に、裸床３の上に凝固して接合する台座材料から成る台座２３が、設けられる。
【００４５】
その後、好ましくはレーザ装置９１を用いて、水平基準面ＥＲ内に位置する基準格子ＲＲの少なくとも一部が作り出され、それによって、取付高さｈＭ上でそれに対して平行に選択された距離ｄに位置する、少なくとも１つの取付面ＥＭが部分的に規定される。取付面ＥＭは取付高さｈＭで台座２３と交差し、それが、取付面ＥＭに至るまで挿入される二重床支持具２が各台座２３内にしっかりと保持されるような方法で選択される。
【００４６】
更なる据付けステップでは、二重床支持具は、二重床支持具２の下端が少なくともおよそ取付高さｈＭのレベルに位置するまで、まだ凝固されてない台座２３内に、少なくともおよそ垂直に上方から挿入される。
【００４７】
この台座２３が硬化するまで、二重床支持具２が次いで関連する台座２３内に各々保持され、その後、把持具９９が除去される。その後床板１が取り付けられる。
【００４８】
好ましくは金属またはプラスチックから作られる二重床支持具２は、単純な設計を有することができてかつ示された実施態様ではチューブ状足部材２２およびヘッドプレートの形の頭部部材２１を備えることができる。二重床支持具２は、調節装置を必要としない。好ましい実施態様においてだけ、調整可能である２部品二重床支持具２が、設けられる。
【００４９】
二重床支持具２の長さまたは高さは、二重床１０の高さｈＤＢに対する少なくとも１つの取付面ＥＭの高さｈＭの差異に対応する（高さｈＤＢは、床板１の下側で測定される）。特定の高さの二重床支持具２を選択することによってまたは二重床支持具２の段階を追っての調節によって、二重床１０の高さが選択されることができる。改造または修復が実行される時、新規の二重床１０が異なる高さｈＤＢで据え付けられる場合には、これは特定の利点である。
【００５０】
図２は、二重床支持具２がレーザ装置９１の精度で配置されてかつ台座２３内にしっかりと保持されることを示す。それゆえに、原則として、ヘッドプレート２１は必要とされない。床板１の角が、対応する直径を呈するチューブ上にしっかりと取り付けられることができる。大きい機械的衝撃の下でさえ、二重床支持具２のシフティングが事実上排除され、それゆえに、地震が生じるかもしれない領域で、本発明の二重床１０が有利には据え付けられることができる。
【００５１】
図２は単純に設計された据付け装置９を示し、好ましくは用いられたレーザ装置９１の他にまた、それはレーザ光線が捕捉されるとすぐにセンサシグナルを供給するセンサ９２を備える。据付け装置９は、二重床支持具２または二重床支持具２Ａ、２Ｂ、…の群が、それによって基準面ＥＲまたは基準格子ＲＲ内に保持されて位置合わせされることができてかつ取付面ＥＭの方へ駆動されることができる把持具９９を備える。
【００５２】
レーザ装置９１によって、交差ポイントＰＲを備えた基準格子ＲＲが高さｈＲに作り出され、その交差ポイントＰＲの垂直に下に、取付位置３０が裸床３の上にマークされる。基準格子ＲＲはさらに、基準面ＥＲに達することおよび基準面ＥＲ内の正しい位置合わせを示す、少なくとも１台の光センサ９２がその上に設けられる、把持具９９の位置合わせに役立つ。
【００５３】
把持具９９は下側に連結装置９８を備え、それによって二重床支持具２が把持具９９に垂直に位置合わせされて取り付けられることができる。図示された態様では、連結装置９８が二重床支持具２を固定するために、二重床支持具２の頭部部材の上にシフトされることができる個々のグラフタまたは共通グラフタを備える。二重床支持具２は、例えば把持具９９に取り付けられるフランジ要素９８１によって保持される。それゆえに、二重床支持具２は単純な方法でフランジ要素９８１内に挿入されて固定されることができる。図８および図９は、グラフタの代わりにクランプ装置を示し、それによって、各二重床支持具２がレバーを手動で動作させることによって固定されることができる。
【００５４】
図２はさらに、把持具９９が高さを調節されることができてかつレーザ装置９１、９２を用いて基準面ＥＲ内にまたは水位および更なる測定機器、とりわけ光学測定機器を用いて水平に位置合わせされることができることを示す。
【００５５】
把持具９９は縦バーおよび横バー、好ましくは長方形のパイプからフレームを形成し、それが基準格子ＲＲに対応する面、すなわち、装置面ＥＶ内に位置合わせされる。縦バーおよび横バーの交差ポイントの相互の距離は、それによって裸床３上の二重床支持具の取付位置３０Ａ、３０Ｂの相互の距離に対応する。据付け会社が異なる寸法で床板をすえ付ける場合には、その時、縦バーと横バーの交差ポイントの間の距離が好ましくは調整可能である。このために好ましくは、縦バーおよび横バーが用いられ、それがお互いに伸縮自在にシフトされることができるかまたは異なる格子距離でお互いに接続されることができる。
【００５６】
図３は、図２の据付け装置９を動作させる２つの異なるオプションを例示する。
【００５７】
第１のオプションによって、装置面ＥＶを備えた把持具９９が、基準面ＥＲに平行にまたは適合して位置合わせされる。基準面ＥＲ内のまたは基準面ＥＲに平行した把持具９９の位置合わせの後、上下移動は取付面ＥＭの方へ平行に所定の距離ｄＭにわたって実行される。距離ｄＭは、距離ｄＭを横断した後に、二重床支持具２の下端が取付面ＥＭに達してかつ取付高さｈＭに位置するような方法で選択される。距離ｄＭの正確な横断が、いくつかの方法で実行されることができる。把持具９９の移動が、測定されて制御されることができる。センサおよび端部ストッパが設けられることができ、それが駆動装置９５を止めるために、または更なる移動を防ぐために、距離ｄＭの横断を示す。さらに、手動でまたは電気的に動作させられた駆動装置９５が、距離ｄＭに対応する所定の数のステップまたは旋回だけを実行することができるように配置されることができる。駆動装置９５が各々ステッパモータを備える場合、このステッパモータはそれに応じて制御される。
【００５８】
代わりとして、装置面ＥＶを備えた把持具９９が、適切な場合基準面ＥＲに平行にまたは適合して、好ましくは水平に位置合わせされ、そして次に、１台または複数台のセンサ９２；９２Ａ、…が活性化される時、二重床支持具２の下端が取付面ＥＭの高さｈＭにあるような方法で選択される、取付または基準面ＥＭＲの到達を示すまでセンサ９２；９２Ａ、…が取付面ＥＭの方へ移動される。原則として、レーザ装置または、より全般的に、ライン発生装置が取付または基準面ＥＭＲに達するための基準として設けられることで十分である。二重床支持具２が入れられる時、台座２３が凝固されてないので、１つの基準線ＲＬだけが設けられることができ、基準線ＲＬが到達される時、把持具９９の水平位置合わせが調べられて再び補正されることができる。
【００５９】
図３は、台座２３を作り出すための更なる好ましいオプションを示す。このオプションでは、構造部材３００が各取付位置３０Ａ、３０Ｂ、…に設けられてかつ、コンクリートの混合物、床用のコンクリート、セメント混合物または石膏のような、台座２３を作り出すために用いられる台座材料２３００によって充填される。示される構造部材３００は、円錐形に形状化されたチューブの形を備え、それが横方向に保持され、ケーキの形の台座２３が得られるように台座材料２３００が裸床３に移される。台座２３の硬化の後、構造部材３００は好ましくは除去されて再利用される。
【００６０】
図４は発明の据付け装置９を示し、それによって、二重床支持具２が前もって作られた台座２３内に正確な位置で持ち上げ装置９５、９６および把持具９９を用いて群で入れられることができる。
【００６１】
持ち上げ装置９５、９６は各々支持具９６を備え、それによって、スピンドル駆動装置９５が一定の高さに保持される。各持ち上げ装置９５、９６に対して、縦バー９９１および横バー９９２を備えたフレーム構造体を備える把持具９９がベアリングブロック９５２を備え、その中に、駆動装置９５のスピンドル９５１が入れられる。スピンドル９５１の各旋回によって、関連するベアリングブロック９５２およびしたがって、把持具９９が、旋回方向に依存して上方へまたは下方へシフトされる。それゆえに、各持ち上げ装置９５、９６がスピンドル９５１およびベアリングブロック９５２経由で把持具９９と接続されて単純な方法でそこから解放されることができる。このために、ベアリングブロック９５２が解放されるまで、スピンドル９５１が旋回される。それゆえに、持ち上げ装置９５、９６が把持具９９を調節して動かすために用いられることができてかつ次いで更なる把持具９９によって解放されて用いられることができる。
【００６２】
図４は、据付け装置９が制御ユニット９０によって制御されて完全に自動化されることができることを示す。センサ９２および測定器９７の信号の処理、同じく駆動ユニット９５の制御は、例えばノートパソコン９０によって実行されることができる。通信は好ましくは、無線ネットワーク経由で実行される。
【００６３】
図５は持ち上げ装置９５、９６の除去の後の把持具９９を示し、それが更なる把持具９９の据付けのために用いられる。台座２３が凝固されるまで、把持具９９を適所に保持するために、それが補助支持具９６０を用いて固定され、支持具は台座２３が凝固されるとすぐに除去される。
【００６４】
図６は、凝固された台座２３内にしっかりと据え付けられる図５の二重床支持具２を示す。二重床支持具２上に、床板１が二重床１０を作り出すために達せられる。二重床支持具２が有利には、ヘッドプレートを備えない丸いまたは多角形のパイプであることができることが示される。二重床支持具２の正確な取付けおよび正確な位置合わせに起因して、小さな断面を備えたパイプが用いられることができる。例えば８ｃｍ−１６ｃｍの範囲内の直径を備えた丸いパイプまたは８ｃｍ−１６ｃｍの範囲内の側面長さを備えた多角形のパイプおよび、１．５−３ｍｍの範囲内の材料厚さが用いられる。二重床支持具２の負荷および長さに従い、逸脱寸法が選択されることができる。さらに、固さを高める補強シームのような強化要素がパイプに一体化されることができる。さらに、好ましくは、アンカー要素が、チューブの足領域、すなわち二重床支持具２内に設けられ、それが台座２３内にしっかりと二重床支持具２を保持する。このために、ねじ山のように配置される溝が、足部材内に設けられることができる。二重床支持具２の長さは、ユーザによって広い範囲で選択されることができる。例えば、８ｃｍ−１６ｃｍの範囲内の一体的長さが、選択される。
【００６５】
この方法を、こう配、例えば段差を呈する裸床３に適応することもまた可能である。据付け装置９の適応によって、複数の取付け面ＥＭが設けられることができ、異なる長さを備えた二重床支持具２が据え付けられることができる。例えば、横断される必要がある距離ｄＭは、選択された取付け面ＥＭにおよび二重床支持具２の選択された長さに適応されることができる。
【００６６】
図７は、各々共通台座２３０内に保持される足部材２２および床板１を保持するのに役に立つ頭部部材２１を備える、複数の２部品二重床支持具２を備えた発明の二重床１０を示す。
【００６７】
共通台座２３０内の取付け面ＥＭの高さｈＭが、裸床３の最も高い点の高さｈＰより上に位置する。それゆえに、二重床支持具２を降ろす時、裸床３はそれらによって到達されない。裸床３が共通台座２３０として有利には用いられることができる追加的な層によっていずれにしろ覆われる必要がある時、この応用がその時好ましくは用いられる。二重床支持具２は共通台座２３０内に、これが個々の台座２３に対して記述されたのと同じ方法で挿入される。
【００６８】
図７ａは、頭部部材２１を伴うおよびお互いに挿入されることができる足部材２２の２本のチューブを備えた２部品二重床支持具２を示す。
【００６９】
図７ｂは、長方形のパイプの形の足部材２２およびプレートの形の頭部部材２１を備える１部品二重床支持具２を示す。長方形のパイプは、小さな断面でさえ床板１の安全な取付けを可能にする。
【００７０】
図７ｃは、三次元図で、単純な丸いパイプである二重床支持具２を示す。
【００７１】
図８ａは、それによって二重床支持具２がレバーの単一手動操作を実行することによって固定されることができる、連結装置９８を備えた長方形のパイプから成る、把持具９９の一部を下から示す。連結装置９８は把持具９９に接続されるＵ字型のフランジ要素９８１を備え、二重床支持具２が形状ロック方法でその中に挿入されることができてクランプ９８２を用いて固定されることができる。
【００７２】
図８ｂは、手動で動作させられる持ち上げ装置９６によってまたは駆動装置９５を用いて、二重床支持具２を固定した後の図８ａの把持具９９の一部を上方から示す。駆動モータ９５が、把持具９９を垂直に動かすために旋回されるスピンドル９５１上にセットアップされることが示される。
【００７３】
図９ａは、１６個の二重床支持具２を固定した後の図８ａの把持具９９を示す。二重床支持具２を取り付けるために、把持具９９が裸床３上に上側に敷かれる。
【００７４】
図９ｂは、裸床３の方へ向けられる二重床支持具２を備えた図９ａの把持具９９を示す。その後、二重床支持具２が本発明の方法に従って台座２３に移される。
【００７５】
図１０、１１ａおよび１１ｂは本発明の据付け方法の好ましいオプションに関し、それはまた、台座２３内に同じ高さで全ての二重床支持具２をつなぎ留める目的を有する。このオプションによって、据付けが最小労力で実行される。
【００７６】
図１０は、二重床支持具２Ａ、２Ｂ、２Ｃが把持具９９のビーム状の要素９９１上に連結装置９８を用いて取り付けられることを示す。連結装置９８は弾性要素を備え、それがビーム状の要素９９１におよび二重床支持具２に接続されることができる。例えば、フックが二重床支持具２から切り抜かれ、そこに、弾性要素、例えば単純なゴムリングが係合されることができる。さらに、構造部材３００が各二重床支持具２Ａ、２Ｂ、２Ｃの上に案内されてかつクランプ要素７を用いて固定される。クランプ要素７は二重床支持具２に隣接しており、かつリング７１上に取り付けられるつまみ７２を備え、それが構造部材３００に隣接してビーム９９１に対向して構造部材３００を押圧する。それゆえに、取り付けられた二重床支持具２および構造部材３００を解放させずに、ビーム９９１が旋回されることができる。構造部材３００の取付けのために、構造部材３００および、二重床支持具２Ａ、２Ｂ、２Ｃがまた、お互いに面する開口を備えることができ、それを通してバー状のロック要素が案内されることができる。二重床支持具２Ａ、２Ｂ、２Ｃを配置した後に、構造部材３００が裸床に対向してシフトされることができるように、バー状のロック要素が除去される。好ましい実施態様では、センタリング要素が設けられることができ、それが構造部材３００または二重床支持具２Ａ、２Ｂ、２Ｃの一部であることができ、それが同軸位置合わせで移動可能な構造部材３００および二重床支持具２Ａ、２Ｂ、２Ｃを保持する。
【００７７】
その後、二重床支持具２Ａ、２Ｂ、２Ｃの下側が取付け面ＥＭの高さ上の取付位置に達するまで、ビーム９９１が上記の通りに降ろされる。次に、図１１ａおよび図１１ｂに示すように、それらが裸床３に達するまで、構造部材３００は下方へ移動される。
二重床支持具２Ａ、２Ｂ、２Ｃの断面は、円錐形状の構造部材３００の開口のより小さな１つの断面より小さく、それゆえに二重床支持具２Ａ、２Ｂ、２Ｃの外側と構造部材３００の内側との間に、台座材料２３００、例えばコンクリートの混合物を充填するための空間が残ることが示される。二重床支持具２Ａ、２Ｂ、２Ｃは好ましくは開口を備え、それが、液体台座材料が二重床支持具２Ａ、２Ｂ、２Ｃに入ることを可能にする。
【００７８】
図１１ａは、二重床支持具２Ａが把持具９９のビーム状の要素９９１によってなお保持される間の、構造部材３００Ａ内への台座材料２３００の充填を示す。
【００７９】
図１１ｂはアンカー要素２９を備えた二重床支持具２を示し、それが台座２３内に二重床支持具２をしっかりと保持するために設計されている。さらに、二重床支持具２は縁部の近くに平行して走る補強シームを備える。補強シームによって、二重床支持具２の安定性が向上される。
【００８０】
図１１ｃは、ビーム状の要素９９１が除去されたあと凝固された台座２３Ｂ内に保持される二重床支持具２Ｂを示す。
【００８１】
好ましい実施態様では、把持具９９が第１のビーム９９１の配置の後で基準面ＥＲ内に段階を追って据え付けられて、そして次に、再び取り外される。
【００８２】
図１２は、好ましくは床板１としっかりと接続され、かつ台座材料２３００で充填される足部材に、容器３０００Ａ、…、３０００Ｄを備える４個の二重床支持具２Ａ、２Ｂ、２Ｃおよび２Ｄを示す。二重床支持具２Ａ、２Ｂ、２Ｃおよび２Ｄがチューブ状設計を有する場合、台座材料２３００が容器３０００内に移される二重床支持具２Ａ、２Ｂ、２Ｃおよび２Ｄを通して導入されることができる。
【００８３】
本発明のこの好ましい実施態様において、床板１は二重床支持具２Ａ、２Ｂ、２Ｃおよび２Ｄと接続されて所望の高さに配置されることができ、その後、台座材料２３００が裸床３に適応して硬化される。床板１を配置して位置合わせすることによって、台座材料が裸床３に対向して押圧されて必要な限り横方向に移動される。それによって、容器３０００は除去されることができるかまたは残ることができる。例えば、容器が設けられ、それが少なくとも部分的に穴のあいた材料、例えば空気および／または水を通すことを可能にするプラスチックフォイルから成る。象徴的に、硬化プロセスの加速を可能にする材料２３０１が加えられることができることが示される。
【００８４】
本発明の本実施態様によって、対応する二重床支持具２Ａ、２Ｂ、２Ｃおよび２Ｄならびに容器を備える床板１が、すばやく配置されて、位置合わせされてしたがって、短い期間内に取り付けられることができる。床板１を配置するプロセスによって、それらが面内に正確に位置するように、床板１がお互いに順に連結されることができる。
【符号の説明】
【００８５】
１  床板
２、２Ａ、２Ｂ、２Ｃ、２Ｄ  二重床支持具
３  裸床
７  クランプ要素
９  据付け装置
１０  二重床
２１  頭部部材
２２  足部材
２３、２３Ｂ  台座
２９  アンカー要素
３０、３０Ａ；３０Ｂ；…  取付位置
７１  リング
７２  つまみ
９０  制御ユニット  ノートパソコン
９１  レーザ装置
９２；９２Ａ、…  センサ
９５  駆動装置  駆動ユニット  駆動モータ
９５、９６  持ち上げ装置
９６  支持具
９７  測定器
９８  連結装置
９９  把持具
１００  二重床
２００  二重床支持具
２３０  共通台座
３００、３００Ａ  構造部材
９５１  スピンドル
９５２  ベアリングブロック
９６０  補助支持具
９８１  フランジ要素
９８２  クランプ
９９１  縦バー  ビーム
９９２  横バー
２３００  台座材料
２３０１  材料
３０００、３０００Ａ、…、３０００Ｄ  容器
ｄ  距離
ｄＭ  距離
ＥＭ  取付け面
ＥＭＲ  基準面
ＥＲ  基準面
ＥＲ  水平基準面
ＥＶ  装置面
ｈＤＢ  高さ
ｈＭ  高さ
ｈＰ  高さ
ｈＲ  高さ
ＰＲ  交差ポイント
ＲＬ  基準線
ＲＲ  基準格子
【図１】
2014519566.tif 000003
【図２】
2014519566.tif 000004
【図３】
2014519566.tif 000005
【図４】
2014519566.tif 000006
【図５】
2014519566.tif 000007
【図６】
2014519566.tif 000008
【図７】
2014519566.tif 000009
【図７ａ】
2014519566.tif 000010
【図７ｂ】
2014519566.tif 000011
【図７ｃ】
2014519566.tif 000012
【図８ａ】
2014519566.tif 000013
【図８ｂ】
2014519566.tif 000014
【図９ａ−９ｂ】
2014519566.tif 000015
【図１０】
2014519566.tif 000016
【図１１ａ．１１ｃ】
2014519566.tif 000017
【図１１ｂ】
2014519566.tif 000018
【図１２】
2014519566.tif 000019
【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
その上で床板（１）が行でお互いの横に配置される、裸床（３）上に規則的な格子パターンで配置される二重床支持具（２）による前記裸床（３）より上の二重床（１０）の据付けのための方法であって、
ａ）取付位置（３０Ａ；３０Ｂ；…）が、前記二重床支持具（２）に対して決定され、据え付けられるべき前記二重床支持具（２）がそれに応じて配置され；
ｂ）取付け高さ（ｈＭ）に位置する取付け面（ＥＭ）が、少なくとも部分的に決定され；
ｃ）前記二重床支持具（２）の一部、または前記二重床支持具（２）上に取り付けられる床板（１）が少なくともおよそ前記取付け高さ（ｈＭ）に配置されるまで、据え付けられるべき前記二重床支持具（２）が、前記取付け面（ＥＭ）の方へ案内され；
ｄ）前記裸床（３）に固まる凝固台座材料（２３００）から作成され、かつ前記取付け面（ＥＭ）を越えて突き出る台座（２３）が、前記二重床支持具（２）の配置の前、間または後に、前記取付位置（３０Ａ；３０Ｂ；．．．）に設けられ；および、
ｅ）前記二重床支持具（２Ａ；２Ｂ；）が次いでそれぞれの前記台座（２３）内に、後者（台座）が凝固されるまで各々保持され、すでに存在してない場合、床板（１）が取り付けられることができることを特徴とする方法。
【請求項２】
請求項１に記載の方法であって、前記台座材料（２３００）が、各二重床支持具（２Ａ；２Ｂ；…）対して設けられる構造部材（３００）または容器（３０００）内に充填され、
ａ）前記構造部材（３００）が前記取付位置（３０Ａ；３０Ｂ；…）に配置されてかつ台座材料（２３００）によって充填され、その後に、前記二重床支持具（２）が配置される；または
ｂ）前記構造部材（３００）が、前記二重床支持具（２）に接続されてかつ前記二重床支持具と共に降ろされ、その後、前記二重床支持具（２）の前記足部材を取り囲む前記台座材料（２３００）によって、前記構造部材（３００）が充填される；または
ｃ）各々容器（３０００）を備える前記二重床支持具（２Ａ；２Ｂ；…）が、前記容器（３０００）内に提供され、かつ前記容器（３０００）から解放される前記台座材料（２３００）が前記裸床（３）上で凝固することができるような方法で配置され、
前記台座（２３）または前記台座材料（２３００）が、最低の取付位置（３０）に配置される前記二重床支持具（２）がまた前記関連する台座（２３）によって前記裸床（３）上に支えられるような方法で提供されることを特徴とする方法。
【請求項３】
前記取付位置（３０Ａ；３０Ｂ；…）が、順にまたは群で決定されること、および前記台座（２３）が、順にまたは群で配置されること、および、前記台座（２３）内に順にまたは群で、１個以上の部品から成る前記二重床支持具（２）が挿入されることを特徴とする請求項１または２に記載の方法。
【請求項４】
前記台座（２３）を作り出すために用いられる前記台座材料（２３００）が、コンクリートの混合物、床用のコンクリート、セメント混合物または石膏であり、前記二重床支持具（２）が取り付けられるタイムスパン内に前記台座材料（２３００）が凝固されるような方法でそれが作成されてかつ加えられることを特徴とする請求項１に記載の方法。
【請求項５】
前記基準面（ＥＲ）と平行して距離（ｄ）をおいて取付け高さ（ｈＭ）に位置する取付け面（ＥＭ）が少なくとも部分的に規定されるように、水平基準面（ＥＲ）内に位置する基準格子（ＲＲ）の少なくとも一部が決定されることを特徴とする請求項１に記載の方法。
【請求項６】
請求項１〜５のうちいずれか一項に記載の方法であって、把持具（９９）を備えた据付け装置（９）が設けられ、それが少なくとも２つ以上の装置位置（ＰＶ）で装置格子（ＲＶ）を形成し、前記装置格子（ＲＶ）が、取付け格子（ＲＭ）に対応してかつ装置面（ＥＶ）内に配置され、そして、単独で、又は構造部材（３００）と共に、前記二重床支持具（２）が前記装置位置（ＰＶ）に取り付けられ、および
ａ）前記把持具（９９）の前記装置面（ＥＶ）が、前記基準面（ＥＲ）に平行にまたは適合して位置合わせされ、そして次に、距離ｄＭが横断されたあと、前記二重床支持具（２）の下端が前記取付け面（ＥＭ）に達するような方法で規定される前記取付け面（ＥＭ）の方へ平行に前記距離ｄＭに沿って駆動される；または
ｂ）前記把持具（９９）の前記装置面（ＥＶ）が、前記基準面（ＥＲ）に平行にまたは適合して位置合わせされ、そして次に、１台以上のセンサ（９２；９２Ａ、…）が活性化される時、前記二重床支持具（２）の下端が前記取付け面（ＥＭ）に達するような方法で選択される、取付けおよび基準面（ＥＭＲ）に到達したという信号を前記センサ（９２；９２Ａ、…）が送るまで前記取付け面（ＥＭ）の方へ平行に前記距離ｄＭに沿って駆動されることを特徴とする方法。
【請求項７】
前記把持具（９９）が、２台以上の持ち上げ装置（９５Ａ、９５Ｂ、…；９６Ａ、９６Ｂ、…）によって支えられてかつ垂直に移動されることを特徴とする請求項６に記載の方法。
【請求項８】
前記据付け装置（９０）が、前記取付け面（ＥＭ）に対する前記装置面（ＥＶ）の傾きの補正信号を、前記少なくとも１つの持ち上げ装置（９５Ａ、９５Ｂ、…；９６Ａ、９６Ｂ、…）を制御することによって前記傾きを補正する、制御ユニット（９０）に供給する測定器（９７）を備えること、または、各持ち上げ装置（９５Ａ、９５Ｂ、…；９６Ａ、９６Ｂ、…）が関連するセンサ（９２Ａ；９２Ｂ、…）によって供給される前記信号に従い制御されることを特徴とする請求項７に記載の方法。
【請求項９】
前記取付位置への前記二重床支持具（２）の移動の後、前記把持具（９９）が補助支持具（９６０）によって固定され、前記持ち上げ装置（９５Ａ、９５Ｂ、…；９６Ａ、９６Ｂ、…）または前記持ち上げ装置（９５Ａ、９５Ｂ、…；９６Ａ、９６Ｂ、…）内に設けられる駆動装置（９５Ａ、９５Ｂ、…）が除去されることを特徴とする請求項７または８に記載の方法。
【請求項１０】
請求項１〜９のうちいずれか一項に記載の方法の実行のための据付け装置（９）であって、１個以上の部品から成る把持具（９９）が設けられ、かつ
ａ）それが、二重床支持具（２）を着脱自在に保持するのに役に立つ連結装置（９８）を備える２つ以上の装置位置（ＰＶ）を備える装置面（ＥＶ）内に配置される一次元または二次元装置格子（ＲＶ）を備え、かつ
ｂ）それが、手動でまたは自動的に作動可能な持ち上げ装置（９５Ａ、９５Ｂ、…；９６Ａ、９６Ｂ、…）に接続され、それによって、前記把持具（９９）が、前記装置面（ＥＶ）に垂直に移動されることができることを特徴とする据付け装置（９）。
【請求項１１】
前記持ち上げ装置（９５Ａ、９５Ｂ、…；９６Ａ、９６Ｂ、…）の各々が、駆動装置（９５Ａ、９５Ｂ、…）を備えることを特徴とする請求項１０に記載の据付け装置（９）。
【請求項１２】
センサ（９２、９７）に接続され、基準面（ＥＲ）内に前記把持具（９９）を水平にするおよび／または位置合わせするためにかつ前記基準面（ＥＲ）に平行に前記把持具（９９）を駆動するために前記持ち上げ装置（９５Ａ、９５Ｂ、…；９６Ａ、９６Ｂ、…）を駆動することを可能にする、前記制御ユニット（９０）が設けられることを特徴とする請求項１０に記載の据付け装置（９）。
【請求項１３】
請求項１〜９のうちいずれか一項において定義した方法に従って、裸床（３）上に規則的な格子パターンで配置され、かつその上に床板（１）が、行でお互いの横に配置される、二重床支持具（２）によって前記裸床（３）より上に据え付けられる二重床であって、台座（２３Ａ、２３Ｂ、…）が、前記裸床（３）上に配置され、その中に前記据え付けられた床板（１）と平行に位置合わせされる少なくともおよそ取付け面（ＥＭ）の高さ（ｈＭ）に、前記二重床支持具（２Ａ；２Ｂ；…）がそれらの下端（３５）で挿入されることを特徴とする二重床。
【請求項１４】
請求項１３に記載の二重床であって、
複数、好ましくは４個の二重床支持具（２Ａ、２Ｂ、２Ｃ、２Ｄ）が設けられ、それが、単一床板（１）に接続され、かつ、前記裸床（３）に適応され、かつ容器（３０００）内に取り囲まれるかまたは容器（３０００）から解放された前記足部材に凝固された台座材料（２３００）を備えることを特徴とする二重床。
【請求項１５】
前記台座（２３）が、コンクリート、床用のコンクリート、セメントまたは石膏から作られ、かつ、適切な場合構造用部材（３００）内に保持されることを特徴とする請求項１３または１４に記載の二重床。
【国際調査報告】
2014519566.tif 000020
2014519566.tif 000021
2014519566.tif 000022
2014519566.tif 000023